(57)【要約】      （修正有）【課題】ロールペーパーの回転を堅く、重くする構造からなりペーパーを引くだけでカットできるロールペーパー保持具を提供する。【解決手段】使用状態、設置面により選択できるＬ型プレート、平型プレート、バンド式に複数の装着素材を設け、ロールペーパーの筒部内径より少しサイズの大きい楕円状からなるＯ型楕円形受軸をプレートの一片に固定して設け、ロールペーパの回転を重く、堅くする構造としたことを特徴とするロールペーパー保持具。【選択図】図２
2018110819.tif 000002
【特許請求の範囲】
【請求項１】
使用状態、設置面により選択できるＬ型プレート、平型プレート、バンド式に複数の装着素材を設け、ロールペーパーの筒部内径
2018110819.tif 000008
トの一片に固定して設け、ロールペーパの回転を重く、堅くすることによりカッターを使用せずペーパーを引くだけでカットできる構造としたことを特徴とするロールペーパー保持具。
【発明の詳細な説明】
【技術分野】
【０００１】本発明は、ロールペーパーの回転を重く、堅くする構造からなり、ペーパーを引くだけでカッターを使用せずペーパーをカット出来るロールペーパー保持具に関するものである。
【背景技術】
【０００２】従来、トイレ用ロールペーパー保持具は多品種開発されている。
【発明の概要】
【発明が解決しようとする課題】
【０００３】そのために、次のような問題点があった。
（イ）安価なトイレットペーパーをトイレ以外日常的に使用できる簡単なペーパー保持具はなかった。
本発明は、これらの問題点を解決するためになされたものである。
【課題を解決するための手段】
【０００４】使用状態、設置面により選択できるＬ型プレート、平型プート、バンド式に複数の装着素材を設け、ロールペーパーの筒部内径
2018110819.tif 000003
ートの一片に固定して設け、ロールペーパーの回転を重く、堅くすることによりカッターを使用せずペーパーを引くだけでカットできる構造とした。
以上を特徴とするロールペーパー保持具である。
【発明の効果】
【０００５】冷蔵庫の側面、上部、スチール机の脚等にＬ型プレート、平型プレート、木製のテーブル脚はバンド式を選択し装着する。ロールペーパーの回転を重く、堅くした構造によりロールペーパーを引くだけでペーパーをカットできる。
【図面の簡単な説明】
【０００６】
【図１】  本発明のＬ型プレートの平面図である。
【図２】  本発明のＬ型プレートの側面図である。
【図３】  本発明の平型プレートの平面図である。
【図４】  本発明の平型プレートの側面図である。
【図５】  本発明のバンド式の平面図である。
【図６】
2018110819.tif 000004
【図７】  本発明をスチール机の脚に装着した例を示す正面図である。
【図８】  本発明を冷蔵庫等上部、側面に装着した例を示す図である。
【発明を実施するための形態】
【０００７】以下、本発明の実施の形態について説明する。
設置面により選択できるＬ型プレート、平型プレート、バンド式に複数の装着素材を設け、ロールペーパーの筒部の内径より少
2018110819.tif 000005
トの一片に固定ネジ（８）を介し固定設けた。
本発明は以上のような構成である。
これを使用するときは、ロールペーパーを左右から押し筒部（７）
2018110819.tif 000006
円状受軸がロールペーパーを堅く受けることによりロールペーパーの回転が重く堅くなりペーパーを引くだけでカットできる。
ロールペーパーの無駄な回転もなくペーパーのロスもなく経済的である。軟質のプレート材に装着素材の間隔を保つことによりロールペーパーに衝撃があってもプレートの中央部で衝撃の歪みを吸収でき両端の装着素材が浮くこともなく本体の落下を防止する。装着素材は、マグネット、吸盤、両面テープ等がある。
【符号の説明】
【０００８】  １  Ｌ型プレート
２  平型プレート
３  バンド式
４  装着素材
2018110819.tif 000007
６  ロールペーパー
７  筒部
８  固定ネジ
９  机
１０  冷蔵庫等
【図１】
2018110819.tif 000009
【図２】
2018110819.tif 000010
【図３】
2018110819.tif 000011
【図４】
2018110819.tif 000012
【図５】
2018110819.tif 000013
【図６】
2018110819.tif 000014
【図７】
2018110819.tif 000015
【図８】
2018110819.tif 000016
【手続補正書】
【提出日】平成29年8月10日(2017.8.10)
【手続補正１】
【補正対象書類名】特許請求の範囲
【補正対象項目名】請求項１
【補正方法】変更
【補正の内容】
【請求項１】
使用状態、設置面により選択できるＬ型プレート、平型プレートに複数の装着素材を設け、バンド式を設け、ロールペーパーの筒部内径より少しサイズの大きい長さのある楕円形受軸をプレート一片に固定して設け、ロールペーパーの回転を重く、堅くすることによりカッターを使用せずペーパーを引くだけでカットできる構造としたことを特徴とするロールペーパー保持具。
【手続補正書】
【提出日】平成29年10月30日(2017.10.30)
【手続補正１】
【補正対象書類名】特許請求の範囲
【補正対象項目名】請求項１
【補正方法】変更
【補正の内容】
【請求項１】
使用状態、設置面により選択できるＬ型プレート又は平型プレートに複数の装着素材を設けるか、バンド式を設け、ロールペーパーの筒部外面より少し隠れる長さの楕円形受軸をプレート一片又はバンド一片に固定して設け、ロールペーパーの回転を重く、堅くすることによりカッターを使用せずペーパーを引くだけでカットできる構造としたことを特徴とするロールペーパー保持具。
【手続補正書】
【提出日】平成29年10月30日(2017.10.30)
【手続補正１】
【補正対象書類名】図面
【補正対象項目名】図８
【補正方法】変更
【補正の内容】
【図８】
2018110819.tif 000017
【手続補正書】
【提出日】平成29年12月19日(2017.12.19)
【手続補正１】
【補正対象書類名】特許請求の範囲
【補正対象項目名】請求項１
【補正方法】変更
【補正の内容】
【請求項１】
使用状態、設置面により選択できるＬ型プレート又は平型プレートに複数の装着素材を設けるか、バンド式を設け、ロールペーパーの筒部内径より長軸長さが長い楕円形受軸をプレート一片又はバンド一片に固定して設け、ロールペーパーの回転を重く、堅くすることによりカッターを使用せずペーパーを引くだけでカットできる構造としたことを特徴とするロールペーパー保持具。
【手続補正書】
【提出日】平成30年1月12日(2018.1.12)
【手続補正１】
【補正対象書類名】特許請求の範囲
【補正対象項目名】請求項１
【補正方法】変更
【補正の内容】
【請求項１】
使用状態、設置面により選択できるＬ型プレート又は平型プレートに複数の装着素材を設けるか、バンド式を設け、ロールペーパーの筒部内径より長軸長さが長い楕円形受軸をプレート一片又はバンド一片に固定して設け、ロールペーパーの回転を重く、堅くすることによりカッターを使用せずペーパーを引くだけでカットできる構造としたことを特徴とするロールペーパー保持具。